(57)【要約】【課題】保管スペースの省スペース化が図れるとともに、種々の形状、寸法の雨樋を形成でき、かつ補強等の加工にも対応できる雨樋用シート材を提供する。【解決手段】雨樋用シート材１は、複数の長尺の棒状体１０が間隔をあけて同方向に並設され、屈曲可能なシート基材２を介して連結、一体化されており、その棒状体１０は、シート基材２の片面２ａ側に突出した係止部１１と、他の片面側２ｂに突出し、係止部１１と相互に係止される構造とした係止受部１２とを備えている。【選択図】図１
2010174471.tif 000002
【特許請求の範囲】
【請求項１】
複数の長尺の棒状体が間隔をあけて同方向に並設され、屈曲可能なシート基材を介して連結、一体化された雨樋用シート材であって、
上記棒状体は、上記シート基材の片面側に突出した係止部と、他の片面側に突出し、該係止部と相互に係止される構造とした係止受部とを備えたことを特徴とする雨樋用シート材。
【請求項２】
請求項１において、
上記複数の棒状体は、それら棒状体の係止部が上記シート基材の片面側に整列されるとともに、係止受部が上記シート基材の他の片面側に整列されるように配設されている雨樋用シート材。
【請求項３】
請求項１において、
上記複数の棒状体は、上記シート基材の片面側および他の片面側のそれぞれで、上記係止部と上記係止受部が交互に表れるように配設されている雨樋用シート材。
【発明の詳細な説明】
【技術分野】
【０００１】
本発明は、複数の長尺の棒状体が屈曲可能なシート基材を介して連結、一体化された雨樋用シート材に関する。
【背景技術】
【０００２】
雨樋は通例、軒樋および竪樋の２種に大別されるが、これら２種の雨樋はそれぞれ、形状、寸法が一定のものではなく、設置対象となる建築物や設置環境に応じて、種々の形状、寸法のものがある。
【０００３】
これら多種の形状、寸法の雨樋は、樹脂の押出成形により形成することが一般的に行われており（例えば、特許文献１を参照）、雨樋の製造業者や施工業者は、それら多数の形状、寸法のものを倉庫等に保管して、個別に在庫管理している。なお、同文献のものは、内底面に複数の突起物が形成されており、それによって排水能力を高めるようにしたものである。
【０００４】
ところで、特許文献２に開示されている雨樋は、断面が半円弧状の金属製樋状体を樋長手方向の全長にわたり切欠きして多数の弧状曲成細帯状板に分割し、その多数の弧状曲成細帯状板間の切欠き間隙を屈曲自在部としたもので、屈曲自在部を有しているため、雨樋形状に形成するまでは平板状（シート状）に保持できる。そのため、倉庫などでの保管スペースを省スペース化できる。
【０００５】
また、本出願人は、特許文献２に記載された技術と同様に、保管スペースの省スペース化および在庫管理手間の軽減を考慮するとともに、現場等で種々の形状、寸法の雨樋に加工でき、かつ積み重ねて輸送、保管できる雨樋用シート材を試行している。
【０００６】
この種の雨樋用シート材は、複数の長尺の棒状体が屈曲可能なシート基材を介して連結、一体化して構成することができる。そのような構成にすれば、軒樋として成形したときに、特許文献１の軒樋と同様に、複数の棒状体による突条を軒樋の内底面に軒樋の長手方向に沿って配列、形成でき、それによって一定の整流作用を付加価値として持たせることも簡易に行える。
【先行技術文献】
【特許文献】
【０００７】
【特許文献１】特開２００１−６５１２３号公報
【特許文献２】実開昭５１−６５２５号公報
【発明の概要】
【発明が解決しようとする課題】
【０００８】
しかしながら、このような雨樋用シート材は、汎用材料であるからシート材の厚さは当然に一定であり、そのため、寸法の大きなものについて厚さを厚くして全体的に補強したい場合や、負荷がかかる箇所を部分的に厚くして補強したい場合は、１種類のシート材だけでは対応できず、他種のシート材を組合せ加工するか、あるいは他部材を付加する等のさらなる加工をしなければならず、加工作業がかえって面倒となるおそれがある。
【０００９】
本発明は、このような事情を考慮して提案されたもので、その目的は、保管スペースの省スペース化が図れるとともに、種々の形状、寸法の雨樋を形成でき、かつ補強等の加工にも容易に対応できる雨樋用シート材を提供することにある。
【課題を解決するための手段】
【００１０】
上記目的を達成するために、請求項１に記載の雨樋用シート材は、複数の長尺の棒状体が間隔をあけて同方向に並設され、屈曲可能なシート基材を介して連結、一体化された雨樋用シート材であって、棒状体は、シート基材の片面側に突出した係止部と、他の片面側に突出し、該係止部と相互に係止される構造とした係止受部とを備えたことを特徴とする。
【００１１】
請求項２では、複数の棒状体は、それら棒状体の係止部がシート基材の片面側に整列されるとともに、係止受部がシート基材の他の片面側に整列されるように配設されている。
【００１２】
請求項３では、複数の棒状体は、シート基材の片面側および他の片面側で、係止部と係止受部が交互に表れるように配設されている。
【発明の効果】
【００１３】
本発明によれば、次のような効果がある。
【００１４】
すなわち、請求項１に記載の雨樋用シート材によれば、屈曲可能なシート基材を介して複数の棒状体を連結、一体化しているので、施工現場等で、自由な位置でシート基材を折り曲げて種々の形状、寸法の雨樋を形成できるとともに、棒状体による相互に係止可能な係止部と係止受部とがシート基材の表（片面側）、裏（他の片面側）に突出しているので、シート材同士を重ね合わせて、部分的にあるいは全体的に雨樋の板厚を厚くして強度を高めることができる。
【００１５】
また、雨樋用シート材を所望の雨樋の寸法に合わせて切断して使用することができ、さらに、雨樋用シート材同士を重合連結して大型樋を形成することもでき、さらにまた、端切れシート材をつなぎ合わせて雨樋を形成することもできる。
【００１６】
さらに、この雨樋用シート材は種々の形状、寸法の雨樋に対して汎用材料として使用できるので、複数種の雨樋を倉庫等で個別に保管しておく必要がなく、保管スペースの省スペース化が図れ、在庫管理の手間も軽減できる。
【００１７】
また、同雨樋用シート材を用いて軒樋を形成したときには、棒状体による係止部あるいは係止受部が軒樋の内底面に複数の突条として表れるので、それらが雨水の整流効果を発揮する。このように整流作用があるため、内底面に突条のないものにくらべて寸法を小さくできる。また、このような突条により、軒樋の上方より落下してくる雨粒の飛散を防止でき、軒樋の性能を高くすることができる。
【００１８】
請求項２に記載の雨樋用シート材によれば、係止部および係止受部がそれぞれ、片面および他の片面で整列されるように棒状体が配設されているため、雨樋を形成する際に、係止部、係止受部が整列形成されたそれぞれの面を、係止部、係止受部のそれぞれの形状等の適性に応じて、雨樋の外面または内面に割り当てることができる。
【００１９】
例えば、係止部、係止受部のうち、整流作用をより期待できる形状のものを内面に割り当てるように形成してもよいし、外観露出されて意匠性が期待できるものを外面に割り当てるようにしてもよい。
【００２０】
請求項３に記載の雨樋用シート材によれば、シート基材の片面側および他の片面側で、係止部と係止受部が交互に表れる構成であるため、シート材には表裏の区別がなく、雨樋の形成の際に表裏を誤るおそれがない。また、表（片面側）、裏（他の片面側）ともに係止部と係止受部とが形成されているので、雨樋用シート財を表面同士または裏面同士で重ね合わせることができる。つまり、シート材を折り返した状態で重合固着できる。
【図面の簡単な説明】
【００２１】
【図１】（ａ）は、本発明の雨樋用シート材の第１実施形態を示す縦断面図およびその一部の拡大縦断面図であり、（ｂ）は同雨樋用シート材の部分斜視図である。
【図２】同雨樋用シート材により形成された軒樋の２例を示す縦断面図であり、（ａ）は係止受部を配列させた面を雨樋の内面に配した例、（ｂ）は係止部を配列させた面を雨樋の内面に配した例図である。
【図３】第１実施形態の雨樋用シート材の他例を示す縦断面図である。
【図４】（ａ）は、同雨樋用シート材の連結状態を示した縦断面図およびその一部の拡大縦断面図であり、（ｂ）は、同雨樋用シート材を加工してなる雨樋の概略縦断面図で、雨樋用シート材の連結態様の他例を示した図（棒状体の図示を省略）である。
【図５】雨樋用シート材の他の連結態様を示す説明図であり、（ａ）は雨樋の一部を破断させた概略正面図、（ｂ）は（ａ）で破断させた部分の拡大図、（ｃ）は（ａ）のＸ−Ｘ線矢視断面図である。
【図６】本発明の雨樋用シート材の第２実施形態を示す説明図で、そのシート材によって形成された雨樋の縦断面図である。
【図７】本発明の雨樋用シート材の適用他例を示す図で、（ａ）は半丸形軒樋の縦断面図、（ｂ）は丸形竪樋の横断面図、（ｃ）は角形竪樋の横断面図である。
【図８】（ａ）〜（ｄ）は、他の形状を有した棒状体の縦断面図である。
【発明を実施するための形態】
【００２２】
以下に、本発明の実施の形態について、添付図面を参照しながら説明する。
【００２３】
図１は、本発明の雨樋用シート材の第１実施形態を示す図であり、本図を参照しながら同雨樋用シート材の形状について説明する。なお、図１（ｂ）に示したＡ、Ｂは方向を示すもので、Ａは雨樋用シート材の棒状体配列方向であり、Ｂは雨樋用シート材の長手方向、後述する棒状体の長手方向である。
【００２４】
この雨樋用シート材１は、軒樋や竪樋を形成する材料となるシート状部材であり、図１に示すように、複数の長尺の棒状体１０が間隔をあけて同方向に並設され、屈曲可能なシート基材２を介して連結、一体化されており、それぞれの棒状体１０は、相互に係止可能な形状の係止部１１と係止受部１２とを、シート基材２の片面２ａ側と他の片面２ｂ側とに突出させたものである。
【００２５】
本実施形態の雨樋用シート材１では、各棒状体１０は、樹脂材料よりなり、係止部１１が略半円状の突起係止体１１ａを備え、係止受部１２が、左右対称の１組の係止受片１２ａ、１２ａを備え、この１組の係止受片１２ａ、１２ａによって他の棒状体１０の係止部１１を嵌め入れて係止できる半円状の凹溝空間１２ｄを有した突起体の構造となっており、係止部１１と係止受部１２との間には、両シート基材が突き合わされるようにして連結された接続部１３が形成されている。
【００２６】
この係止受部１２を構成する１組の係止受片１２ａ、１２ａのそれぞれの先端側には、凹溝空間１２ｄの一部を塞ぐように突出した抜け防止用の爪片１２ｂが形成され、それら爪片１２ｂ、１２ｂ間には、他の棒状体１０の係止部１１を受け入れるための開口１２ｃが形成されている。一方、係止部１１は、突起係止体１１ａとシート材１（シート基材２）の片面２ａとの間に、係止受部１２の爪片１２ｂ、１２ｂが挿入されて係止される程度のわずかな隙間による爪片係止間隙１１ｂ、１１ｂを有している（図１（ａ）の部分拡大縦断面図を参照）。
【００２７】
なお本例では、係止部１１を凸体、係止受部１２を凹体としているが、逆でもよく、また他の形状であってもよく、すくなくとも両者が相互に係止できるような突起構造であればよい。
【００２８】
また本例では、全ての棒状体１０の係止部１１を片面２ａに整列させるように配し、係止受部１２を他の片面２ｂに整列させるように配しているが、これには限定されず、後述するように、同一面に係止部１１と係止受部１２とを交互に配列させたものでもよい。以下では、係止部１１を整列させた面を係止面２１といい、係止受部１２を整列させた面を被係止面２２という。
【００２９】
一方、シート基材２は屈曲可能な樹脂の薄板材料よりなり、雨樋用シート材１に形成されたいずれの棒状体１０、１０間でも折り曲げが可能となっている。
【００３０】
この雨樋用シート材１は、棒状体１０およびシート基材２が硬質樹脂および軟質樹脂よりなるため、押出成形により硬軟同時成形にて一体成形することが望ましく、一体成形としては二色成形でもよいし、棒状体を金属としたインサート成形でもよい。もちろん、棒状体１０およびシート基材２を同一の樹脂素材により一体成形してもよい。
【００３１】
このような雨樋用シート材１によれば、雨樋（軒樋３０）を形成する前は、雨樋用シート材１を図１に示すように平坦にして、それらを積み重ねて保管、運搬することもできるし、巻回あるいは所定の長さに折り曲げて個別に保管、運搬することもできる。
【００３２】
図１に示した雨樋用シート材１は、所定の形状、寸法の軒樋３０を形成するための専用シート材であり、一定数の棒状体１０を一定間隔に配設したもので、そのシート材の先尾端部１ａ、１ｂ（図１（ａ）中の左端および右端）には、係止受部１２に嵌め入れ可能な形状の端部止め片３、３がさらに設けられている。なお、この端部止め片３は、上記棒状体１０とは形状の異なる他の棒状体１０´よりなり、係止部１１と同様に係止受部１２に相互係止されるような係止部材を構成する。
【００３３】
図２は、同雨樋用シート材１により形成された軒樋の２例を示す縦断面図であり、図２（ａ）は被係止面２２を軒樋３０の内面３３に配した例、（ｂ）は係止面２１を軒樋３０の内面３３に配した例を示している。
【００３４】
これらの軒樋３０は同一形状のもので、所定の位置で折り曲げられて製されている。また、軒樋３０の前端には、シート材１の先端部１ａが略円形状に曲成され、端部止め片３と係止受部１２とで係止固定されて前端芯部３１が形成され、一方、軒樋３０の後端には、シート材１の尾端部１ｂが略円形状に曲成され、端部止め片３と係止受部１２とで固定されて後端芯部３２が形成されている。
【００３５】
なお、端部止め片３を用いずに、棒状体１０の係止部１１と他の棒状体１０の係止受部１２との係止によって、前端芯部３１や後端芯部３２を形成するようにしてもよい。
【００３６】
このように、この雨樋用シート材１は、軒樋３０を形成するうえで、シート材を端部止め片３と係止受部１２または係止部１１と係止受部１２を相互係止できる構成となっているため、雨樋の骨組みとなる強度の高い芯部を容易に形成することができる。
【００３７】
また、本実施形態の雨樋用シート材１は、係止部１１、係止受部１２のそれぞれをシート材の片面ずつに整列させて係止面２１、被係止面２２を形成させているため、軒樋３０を形成する際には、係止面２１、被係止面２２のいずれでも、軒樋３０の内面３３に配することができ、係止部１１、係止受部１２のそれぞれの形状等の適性に応じて、軒樋３０の外面３４または内面３３に割り当てることができる。
【００３８】
係止面２１、被係止面２２のいずれを軒樋３０の内面３３に配しても、係止部１１、係止受部２１がいずれも突起形状であるため、内底面３３ａでは複数の突条が表れて、それらは雨水の整流作用を発揮する。このように整流作用により雨水の流速が早くなり、排水量が増大するため、内底面３３ａに突条のない軒樋にくらべて寸法を小さくできる。また、このような係止部１１または係止受部１２による突条により、落下してくる雨粒の飛散を防止でき、雨樋の性能を高くすることができる。
【００３９】
図２（ａ）のように、被係止面２２を軒樋３０の内面３３に割り当てたものでは、その形状により、高い整流作用を期待できるとともに、係止面２１が外面３４に割り当てられているため、すっきりとした外観を有した意匠性を表出できる。一方、図２（ｂ）のように、係止面２１を軒樋３０の内面３３に割り当てたものでは、係止部１１が窪みや凹部を有さない突起形状であるため、内面３３にゴミがたまりにくい。もちろん、図２（ｂ）のものでも、整流効果および意匠効果は十分に期待できる。
【００４０】
図１、図２に示した例では、第１実施形態の雨樋用シート材１として、所定の形状、寸法の軒樋３０を形成するための専用の雨樋用シート材１を示したが、長さ寸法を限定せず、切断、連結によって種々の雨樋が成形できるような汎用的な雨樋用シート材であってもよい。
【００４１】
そのような汎用的な雨樋用シート材１は、図３に示すような長尺シート材よりなり、成形する雨樋の形状、寸法により所望の位置Ｘで切断して使用される。切断して使用するため、上記の実施形態で示したような端部止め片３（図１等を参照）は形成されていなくてもよい。
【００４２】
図４は、同雨樋用シート材１同士の連結の２例を示した図である。
【００４３】
図４（ａ）は、雨樋用シート材１の連結状態を示した縦断面図およびその一部の拡大縦断面図である。
【００４４】
雨樋用シート材１の連結は、切断等によって形成されたシート材同士を重合して連結するもので、図４（ａ）の例では、両シート材は、一方の雨樋用シート材１（図中、上方のシート材）のシート端部１ｃの４つの係止部１１を、他方の雨樋用シート材１（図中、下方のシート材）のシート端部１ｃの４つの係止受部１２に嵌め入れることで連結される。
【００４５】
係止部１１の係止受部１２への嵌め入れは、係止部１１の上方からの押圧によって係止受部１２の両係止受片１２ａ、１２ａを弾性的に拡開させ開口１２ｃを拡げて凹溝空間１２ｄへ押し入れることによって実現できる。そして、図４（ａ）に示すように、両係止受片１２ａ、１２ａが弾性復帰し、係止受部１２の爪片１２ｂ、１２ｂが係止部１１の爪片係止間隙１１ｂ、１１ｂに挿着されて、係止部１１と係止受部１２とが相互に係止すると、その後は両方の爪片１２ｂ、１２ｂが作用して係止部１１の抜けを制止する。
【００４６】
このように、雨樋用シート材１の長さ方向Ａに、他の雨樋用シート材１を連結してシート材を延設することが可能であるため、連結されたシート材によって大型樋を形成できるし、１枚では雨樋を形成できないような端切れシート材をつなぎ合わせて１つの雨樋を形成することもできる。
【００４７】
また、図４（ｂ）は、雨樋用シート材１を加工してなる軒樋の概略縦断面図であり、雨樋用シート材１の連結態様の他例を示している。なお、雨樋用シート材１は、専用材料、汎用材料のいずれであってもよい。本図においては、棒状体の図示を省略しているが、本例では、シート基材の片面を係止面２１に、他の片面を被係止面２２に形成した雨樋用シート材１を使用して、係止面２１を雨樋３０の外面３４に、被係止面２２を内面３３に割り当てるように形成されている。
【００４８】
この雨樋用シート材１の連結は、複数のシート材を連結したものではなく、一枚の雨樋用シート材１の端部１ｃを折り曲げて、その端部１ｃに連なる他の部位に連結（重合接合）させたもので、重合させた部位が軒樋３０の前壁部３５を形成している。なお、本図例では、雨樋用シート材１の片面を係止面２１に、他の片面を被係止面２２に形成したシート材を使用しているため、同図に示すように、シート端部１ｃを含む折曲片１Ａが、それに隣接するシート部１Ｂと、さらに隣接するシート部１Ｃとに挟まれるように折り曲げられて、その結果、シート材が３重に接合された前壁部３５が形成されている。
【００４９】
このように、シート材同士を重ね合わせて固着できるので、部分的にあるいは全体的にシート材を２重等に貼り合わせて軒樋３０の板厚を厚くして強度を高めることができる。軒樋３０は一般的に前壁部３５に負荷がかかるため、図４（ｂ）のように、雨樋用シート材１の部分的な重合によって前壁部３５を補強することも容易に行える。
【００５０】
また、この雨樋用シート材１は、専用品であっても汎用品であっても、施工現場で所望の雨樋に曲成加工して使用できるので、工場、倉庫等では加工前の平板状態あるいは巻回状態で保管でき、省スペース化が図れる。特に、汎用材料を使用するようにすれば、形状、寸法の異なる複数種の雨樋あるいは長さ寸法等の異なる複数種のシート材を倉庫等で個別に保管しておく必要がなくなるため、保管スペースの省スペース化が図れるだけではなく、品種の削減も図れるので、複数品種を管理するための在庫管理の手間も格段に軽減できる。
【００５１】
図５は、雨樋用シート材１の他の連結態様を示す説明図であり、図５（ａ）は雨樋の一部を破断させた概略正面図、図５（ｂ）は（ａ）で破断させた部分の拡大図、図５（ｃ）は（ａ）の概略縦断面図である。
【００５２】
この軒樋３０は、雨樋用シート材１を軒樋状に加工してなる軒樋部品３０ａを複数、雨樋の長手方向Ｂに連結してなるものである。つまり、各軒樋部品３０ａを構成する棒状体１０と棒状体１０とが、その長手方向Ｂに連結されており、図５に示すように、雨樋の長手方向Ｂに隣接する軒樋部品３０ａの材料である雨樋用シート材１は、雨樋３０の長手方向Ｂに隣接する端部同士が、係止部１１（係止面２１）と係止受部１２（被係止面２２）との嵌合によって連結されている。
【００５３】
このように、雨樋の長手方向Ｂに雨樋部品３０ａと雨樋部品３０ａとを直接重ね合わせて連結しているため、軒樋と軒樋をつなぎ合わせる部品が不要となる。さらに、このような階段状の連結によって、雨水の流れ勾配が形成できる。また、雨樋用シート材１のつなぎ合わせによって軒樋３０が形成できるので、長手寸法の大きな軒樋も、棒状体１０の長手方向Ｂの寸法が一定の汎用の雨樋用シート材１によって、簡易に形成することができる。すなわち、長手方向Ｂ寸法の大型の軒樋に対応させて、棒状体１０の長手方向Ｂの寸法の大きな雨樋用シート材１を保管しておく必要がないので、大きな保管スペースを確保する必要がない。
【００５４】
図６は、本発明の雨樋用シート材の第２実施形態を示す説明図であり、その雨樋用シート材によって形成された軒樋の縦断面図を示している。
【００５５】
図６に示すように、この雨樋用シート材１は、シート基材２の片面２ａおよび他の片面２ｂのそれぞれには、係止部１１と係止受部１２とが交互に表れるように棒状体１０が配設されている。つまり、この雨樋用シート材１は表裏の区別がない。
【００５６】
このように、表裏の区別がなく、片面２ａ側および他の片面２ｂ側のそれぞれに係止部１１と係止受部１２とが交互に形成されているので、表面（片面２ａ）同士または裏面（他の片面２ｂ）同士の重ね合わせができる。つまり、図６の例のように、雨樋用シート材１を折り返した状態で重合できる。なお、係止部１１と係止受部１２との交互形成は、１つずつを交互に形成したものに限られず、複数を同数ずつ交互に形成したものでもよい。
【００５７】
したがって、雨樋用シート材１によれば、図６に示すように、前壁部３５を雨樋用シート材１の重合により補強する場合、３重に折り曲げて連結させる必要がなく、２重に重合して貼り合わせることができ、シート材１の節約ができる。もちろん、３重以上の多重合による補強が必要な場合は、その数に応じて折り曲げ形成すればよい。
【００５８】
以上の２つ実施形態では、雨樋用シート材１により角形の軒樋３０を形成する実施例を示したが、同雨樋用シート材１によって、図７（ａ）の縦断面図に示したような半丸形の軒樋３０も形成できることはいうまでもなく、さらに図７（ｂ）、（ｃ）の横断面図に示したような丸形、角形の竪樋４０も形成できる。
【００５９】
なお、これらの図では、いずれの場合も、棒状体は雨水の流れ方向に沿って設けられており、棒状体により係止部と係止受部を突出させたシート材１の両面は、第１実施形態のように係止面２１、被係止面２２で形成されたものでもよいし、第２実施形態のように係止部１１と係止受部１２とを交互に配列させたものでもよい。
【００６０】
雨樋用シート材１を、図７（ｂ）、（ｃ）に示した竪樋４０に用いた場合でも、軒樋３０に適用させた場合と同様に、重合による雨樋の補強、および切断、連結による種々の形状、寸法の雨樋の形成ができることはいうまでもない。また、軒樋３０の図５の例と同様に、竪樋４０の長手方向Ｂへ雨樋用シート材よりなる雨樋部品を連結して竪樋を形成できるので、高さの高い竪樋も汎用の雨樋用シート材１によって形成できる。
【００６１】
以上に示した種々の雨樋用シート材１の例では、断面略半円状の係止部１１と、その係止部１１を嵌合できる断面略半円状の凹溝空間１２ｄを有した係止受部１２とよりなる棒状体１０を示したが（図１等を参照）、図８（ａ）〜（ｄ）に示す形状の棒状体でもよい。
【００６２】
図８（ａ）に示した棒状体１０は、係止部１１が断面略円形状の突起係止体１１ａよりなる一方、係止受部１２がその係止部１１を嵌合できる凹溝空間１２ｄを形成した、１組の係止受片１２ａよりなるものである。図８（ｂ）、（ｃ）のものは、係止部１１が頂部を突出させた断面三角形状であり、係止受部１２は１組の係止受片１２ａよりなり、三角形状の係止部１１を嵌合できる凹溝空間１２ｄを有している。
【００６３】
また、図８（ａ）、（ｂ）は係止部１１が中実構造であり、図８（ｃ）は係止部１１が中空構造である。つまり、図８（ｃ）の棒状体１０は、略同厚の板状体を折り曲げて成形できる。
【００６４】
図８（ａ）〜（ｃ）に示した棒状体１０では、第１、第２実施形態に示した棒状体１０と同様に、係止部１１を受け入れる係止受部１２の開口１２ｃが係止受片１２ａの爪片１２ｂ間に挟まれた上端に配置されている。
【００６５】
一方、図８（ｄ）に示した棒状体１０は、係止受部１２が左右対称の構造となっておらず、爪片１２ｂが開口１２ｃの一方側のみに形成されている。
【００６６】
なお、図８において、上記第１、第２と同様の構成については、同一の符号を付してその説明を省略する。
【符号の説明】
【００６７】
１      雨樋用シート材
２      シート基材
２ａ      片面
２ｂ      他の片面
３      端部止め片
１０      棒状体
１１      係止部
１１ａ      突起係止体
１１ｂ      爪片係止間隙
１２      係止受部
１２ａ      係止受片
１２ｂ      爪片
１２ｃ      開口
１２ｄ      凹溝空間
２１      係止面
２２      被係止面
３０      雨樋（軒樋）
３３      内面
３３ａ      内底面
３４      外面
４０      雨樋（竪樋）
【図１】
2010174471.tif 000003
【図２】
2010174471.tif 000004
【図３】
2010174471.tif 000005
【図４】
2010174471.tif 000006
【図５】
2010174471.tif 000007
【図６】
2010174471.tif 000008
【図７】
2010174471.tif 000009
【図８】
2010174471.tif 000010
【手続補正書】
【提出日】平成22年1月27日(2010.1.27)
【手続補正１】
【補正対象書類名】明細書
【補正対象項目名】全文
【補正方法】変更
【補正の内容】
【発明の詳細な説明】
【技術分野】
【０００１】
本発明は、複数の長尺の棒状体が屈曲可能なシート基材を介して連結、一体化された雨樋用シート材に関する。
【背景技術】
【０００２】
雨樋は通例、軒樋および竪樋の２種に大別されるが、これら２種の雨樋はそれぞれ、形状、寸法が一定のものではなく、設置対象となる建築物や設置環境に応じて、種々の形状、寸法のものがある。
【０００３】
これら多種の形状、寸法の雨樋は、樹脂の押出成形により形成することが一般的に行われており（例えば、特許文献１を参照）、雨樋の製造業者や施工業者は、それら多数の形状、寸法のものを倉庫等に保管して、個別に在庫管理している。なお、同文献のものは、内底面に複数の突起物が形成されており、それによって排水能力を高めるようにしたものである。
【０００４】
ところで、特許文献２に開示されている雨樋は、断面が半円弧状の金属製樋状体を樋長手方向の全長にわたり切欠きして多数の弧状曲成細帯状板に分割し、その多数の弧状曲成細帯状板間の切欠き間隙を屈曲自在部としたもので、屈曲自在部を有しているため、雨樋形状に形成するまでは平板状（シート状）に保持できる。そのため、倉庫などでの保管スペースを省スペース化できる。
【０００５】
また、本出願人は、特許文献２に記載された技術と同様に、保管スペースの省スペース化および在庫管理手間の軽減を考慮するとともに、現場等で種々の形状、寸法の雨樋に加工でき、かつ積み重ねて輸送、保管できる雨樋用シート材を試行している。
【０００６】
この種の雨樋用シート材は、複数の長尺の棒状体が屈曲可能なシート基材を介して連結、一体化して構成することができる。そのような構成にすれば、軒樋として成形したときに、特許文献１の軒樋と同様に、複数の棒状体による突条を軒樋の内底面に軒樋の長手方向に沿って配列、形成でき、それによって一定の整流作用を付加価値として持たせることも簡易に行える。
【先行技術文献】
【特許文献】
【０００７】
【特許文献１】特開２００１−６５１２３号公報
【特許文献２】実開昭５１−６５２５号公報
【発明の概要】
【発明が解決しようとする課題】
【０００８】
しかしながら、このような雨樋用シート材は、汎用材料であるからシート材の厚さは当然に一定であり、そのため、寸法の大きなものについて厚さを厚くして全体的に補強したい場合や、負荷がかかる箇所を部分的に厚くして補強したい場合は、１種類のシート材だけでは対応できず、他種のシート材を組合せ加工するか、あるいは他部材を付加する等のさらなる加工をしなければならず、加工作業がかえって面倒となるおそれがある。
【０００９】
本発明は、このような事情を考慮して提案されたもので、その目的は、保管スペースの省スペース化が図れるとともに、種々の形状、寸法の雨樋を形成でき、かつ補強等の加工にも容易に対応できる雨樋用シート材を提供することにある。
【課題を解決するための手段】
【００１０】
上記目的を達成するために、請求項１に記載の雨樋用シート材は、複数の長尺の棒状体が間隔をあけて同方向に並設され、屈曲可能なシート基材を介して連結、一体化された雨樋用シート材であって、棒状体は、シート基材の片面側に突出した係止部と、他の片面側に突出し、該係止部と相互に係止される構造とした係止受部とを備えたことを特徴とする。
【００１１】
請求項２では、複数の棒状体は、それら棒状体の係止部がシート基材の片面側に整列されるとともに、係止受部がシート基材の他の片面側に整列されるように配設されている。
【００１２】
請求項３では、複数の棒状体は、シート基材の片面側および他の片面側で、係止部と係止受部が交互に表れるように配設されている。
【発明の効果】
【００１３】
本発明によれば、次のような効果がある。
【００１４】
すなわち、請求項１に記載の雨樋用シート材によれば、屈曲可能なシート基材を介して複数の棒状体を連結、一体化しているので、施工現場等で、自由な位置でシート基材を折り曲げて種々の形状、寸法の雨樋を形成できるとともに、棒状体による相互に係止可能な係止部と係止受部とがシート基材の表（片面側）、裏（他の片面側）に突出しているので、シート材同士を重ね合わせて、部分的にあるいは全体的に雨樋の板厚を厚くして強度を高めることができる。
【００１５】
また、雨樋用シート材を所望の雨樋の寸法に合わせて切断して使用することができ、さらに、雨樋用シート材同士を重合連結して大型樋を形成することもでき、さらにまた、端切れシート材をつなぎ合わせて雨樋を形成することもできる。
【００１６】
さらに、この雨樋用シート材は種々の形状、寸法の雨樋に対して汎用材料として使用できるので、複数種の雨樋を倉庫等で個別に保管しておく必要がなく、保管スペースの省スペース化が図れ、在庫管理の手間も軽減できる。
【００１７】
また、同雨樋用シート材を用いて軒樋を形成したときには、棒状体による係止部あるいは係止受部が軒樋の内底面に複数の突条として表れるので、それらが雨水の整流効果を発揮する。このように整流作用があるため、内底面に突条のないものにくらべて寸法を小さくできる。また、このような突条により、軒樋の上方より落下してくる雨粒の飛散を防止でき、軒樋の性能を高くすることができる。
【００１８】
請求項２に記載の雨樋用シート材によれば、係止部および係止受部がそれぞれ、片面および他の片面で整列されるように棒状体が配設されているため、雨樋を形成する際に、係止部、係止受部が整列形成されたそれぞれの面を、係止部、係止受部のそれぞれの形状等の適性に応じて、雨樋の外面または内面に割り当てることができる。
【００１９】
例えば、係止部、係止受部のうち、整流作用をより期待できる形状のものを内面に割り当てるように形成してもよいし、外観露出されて意匠性が期待できるものを外面に割り当てるようにしてもよい。
【００２０】
請求項３に記載の雨樋用シート材によれば、シート基材の片面側および他の片面側で、係止部と係止受部が交互に表れる構成であるため、シート材には表裏の区別がなく、雨樋の形成の際に表裏を誤るおそれがない。また、表（片面側）、裏（他の片面側）ともに係止部と係止受部とが形成されているので、雨樋用シート財を表面同士または裏面同士で重ね合わせることができる。つまり、シート材を折り返した状態で重合固着できる。
【図面の簡単な説明】
【００２１】
【図１】（ａ）は、本発明の雨樋用シート材の第１実施形態を示す縦断面図およびその一部の拡大縦断面図であり、（ｂ）は同雨樋用シート材の部分斜視図である。
【図２】同雨樋用シート材により形成された軒樋の２例を示す縦断面図であり、（ａ）は係止受部を配列させた面を雨樋の内面に配した例、（ｂ）は係止部を配列させた面を雨樋の内面に配した例図である。
【図３】第１実施形態の雨樋用シート材の他例を示す縦断面図である。
【図４】（ａ）は、同雨樋用シート材の連結状態を示した縦断面図およびその一部の拡大縦断面図であり、（ｂ）は、同雨樋用シート材を加工してなる雨樋の概略縦断面図で、雨樋用シート材の連結態様の他例を示した図（棒状体の図示を省略）である。
【図５】雨樋用シート材の他の連結態様を示す説明図であり、（ａ）は雨樋の一部を破断させた概略正面図、（ｂ）は（ａ）で破断させた部分の拡大図、（ｃ）は（ａ）のＸ−Ｘ線矢視断面図である。
【図６】本発明の雨樋用シート材の第２実施形態を示す説明図で、そのシート材によって形成された雨樋の縦断面図である。
【図７】本発明の雨樋用シート材の適用他例を示す図で、（ａ）は半丸形軒樋の縦断面図、（ｂ）は丸形竪樋の横断面図、（ｃ）は角形竪樋の横断面図である。
【図８】（ａ）〜（ｄ）は、他の形状を有した棒状体の縦断面図である。
【発明を実施するための形態】
【００２２】
以下に、本発明の実施の形態について、添付図面を参照しながら説明する。
【００２３】
図１は、本発明の雨樋用シート材の第１実施形態を示す図であり、本図を参照しながら同雨樋用シート材の形状について説明する。なお、図１（ｂ）に示したＡ、Ｂは方向を示すもので、Ａは雨樋用シート材の棒状体配列方向であり、Ｂは雨樋用シート材の長手方向、後述する棒状体の長手方向である。
【００２４】
この雨樋用シート材１は、軒樋や竪樋を形成する材料となるシート状部材であり、図１に示すように、複数の長尺の棒状体１０が間隔をあけて同方向に並設され、屈曲可能なシート基材２を介して連結、一体化されており、それぞれの棒状体１０は、相互に係止可能な形状の係止部１１と係止受部１２とを、シート基材２の片面２ａ側と他の片面２ｂ側とに突出させたものである。
【００２５】
本実施形態の雨樋用シート材１では、各棒状体１０は、樹脂材料よりなり、係止部１１が略半円状の突起係止体１１ａを備え、係止受部１２が、左右対称の１組の係止受片１２ａ、１２ａを備え、この１組の係止受片１２ａ、１２ａによって他の棒状体１０の係止部１１を嵌め入れて係止できる半円状の凹溝空間１２ｄを有した突起体の構造となっており、係止部１１と係止受部１２との間には、両シート基材２、２が突き合わされるようにして連結された接続部１３が形成されている。
【００２６】
この係止受部１２を構成する１組の係止受片１２ａ、１２ａのそれぞれの先端側には、凹溝空間１２ｄの一部を塞ぐように突出した抜け防止用の爪片１２ｂが形成され、それら爪片１２ｂ、１２ｂ間には、他の棒状体１０の係止部１１を受け入れるための開口１２ｃが形成されている。一方、係止部１１は、突起係止体１１ａと雨樋用シート材１（シート基材２）の片面２ａとの間に、係止受部１２の爪片１２ｂ、１２ｂが挿入されて係止される程度のわずかな隙間による爪片係止間隙１１ｂ、１１ｂを有している（図１（ａ）の部分拡大縦断面図を参照）。
【００２７】
なお本例では、係止部１１を凸体、係止受部１２を凹体としているが、逆でもよく、また他の形状であってもよく、すくなくとも両者が相互に係止できるような突起構造であればよい。
【００２８】
また本例では、全ての棒状体１０の係止部１１を片面２ａに整列させるように配し、係止受部１２を他の片面２ｂに整列させるように配しているが、これには限定されず、後述するように、同一面に係止部１１と係止受部１２とを交互に配列させたものでもよい。以下では、係止部１１を整列させた面を係止面２１といい、係止受部１２を整列させた面を被係止面２２という。
【００２９】
一方、シート基材２は屈曲可能な樹脂の薄板材料よりなり、雨樋用シート材１に形成されたいずれの棒状体１０、１０間でも折り曲げが可能となっている。
【００３０】
この雨樋用シート材１は、棒状体１０およびシート基材２が硬質樹脂および軟質樹脂よりなるため、押出成形により硬軟同時成形にて一体成形することが望ましく、一体成形としては二色成形でもよいし、棒状体を金属としたインサート成形でもよい。もちろん、棒状体１０およびシート基材２を同一の樹脂素材により一体成形してもよい。
【００３１】
このような雨樋用シート材１によれば、雨樋（軒樋３０）を形成する前は、雨樋用シート材１を図１に示すように平坦にして、それらを積み重ねて保管、運搬することもできるし、巻回あるいは所定の長さに折り曲げて個別に保管、運搬することもできる。
【００３２】
図１に示した雨樋用シート材１は、所定の形状、寸法の軒樋３０を形成するための専用シート材であり、一定数の棒状体１０を一定間隔に配設したもので、そのシート材の先端部１ａ、尾端部１ｂ（図１（ａ）中の左端および右端）には、係止受部１２に嵌め入れ可能な形状の端部止め片３、３がさらに設けられている。なお、この端部止め片３は、上記棒状体１０とは形状の異なる他の棒状体１０´よりなり、係止部１１と同様に係止受部１２に相互係止されるような係止部材を構成する。
【００３３】
図２は、同雨樋用シート材１により形成された軒樋の２例を示す縦断面図であり、図２（ａ）は被係止面２２を軒樋３０の内面３３に配した例、（ｂ）は係止面２１を軒樋３０の内面３３に配した例を示している。
【００３４】
これらの軒樋３０は同一形状のもので、所定の位置で折り曲げられて製されている。また、軒樋３０の前端には、シート材１の先端部１ａが略円形状に曲成され、端部止め片３と係止受部１２とで係止固定されて前端芯部３１が形成され、一方、軒樋３０の後端には、シート材１の尾端部１ｂが略円形状に曲成され、端部止め片３と係止受部１２とで固定されて後端芯部３２が形成されている。
【００３５】
なお、端部止め片３を用いずに、棒状体１０の係止部１１と他の棒状体１０の係止受部１２との係止によって、前端芯部３１や後端芯部３２を形成するようにしてもよい。
【００３６】
このように、この雨樋用シート材１は、軒樋３０を形成するうえで、シート材を端部止め片３と係止受部１２または係止部１１と係止受部１２を相互係止できる構成となっているため、雨樋の骨組みとなる強度の高い芯部を容易に形成することができる。
【００３７】
また、本実施形態の雨樋用シート材１は、係止部１１、係止受部１２のそれぞれをシート材の片面ずつに整列させて係止面２１、被係止面２２を形成させているため、軒樋３０を形成する際には、係止面２１、被係止面２２のいずれでも、軒樋３０の内面３３に配することができ、係止部１１、係止受部１２のそれぞれの形状等の適性に応じて、軒樋３０の外面３４または内面３３に割り当てることができる。
【００３８】
係止面２１、被係止面２２のいずれを軒樋３０の内面３３に配しても、係止部１１、係止受部２１がいずれも突起形状であるため、内底面３３ａでは複数の突条が表れて、それらは雨水の整流作用を発揮する。このように整流作用により雨水の流速が早くなり、排水量が増大するため、内底面３３ａに突条のない軒樋にくらべて寸法を小さくできる。また、このような係止部１１または係止受部１２による突条により、落下してくる雨粒の飛散を防止でき、雨樋の性能を高くすることができる。
【００３９】
図２（ａ）のように、被係止面２２を軒樋３０の内面３３に割り当てたものでは、その形状により、高い整流作用を期待できるとともに、係止面２１が外面３４に割り当てられているため、すっきりとした外観を有した意匠性を表出できる。一方、図２（ｂ）のように、係止面２１を軒樋３０の内面３３に割り当てたものでは、係止部１１が窪みや凹部を有さない突起形状であるため、内面３３にゴミがたまりにくい。もちろん、図２（ｂ）のものでも、整流効果および意匠効果は十分に期待できる。
【００４０】
図１、図２に示した例では、第１実施形態の雨樋用シート材１として、所定の形状、寸法の軒樋３０を形成するための専用の雨樋用シート材１を示したが、長さ寸法を限定せず、切断、連結によって種々の雨樋が成形できるような汎用的な雨樋用シート材であってもよい。
【００４１】
そのような汎用的な雨樋用シート材１は、図３に示すような長尺シート材よりなり、成形する雨樋の形状、寸法により所望の位置で切断して使用される。切断して使用するため、上記の実施形態で示したような端部止め片３（図１等を参照）は形成されていなくてもよい。
【００４２】
図４は、同雨樋用シート材１同士の連結の２例を示した図である。
【００４３】
図４（ａ）は、雨樋用シート材１の連結状態を示した縦断面図およびその一部の拡大縦断面図である。
【００４４】
雨樋用シート材１の連結は、切断等によって形成されたシート材同士を重合して連結するもので、図４（ａ）の例では、両シート材は、一方の雨樋用シート材１（図中、上方のシート材）のシート端部１ｃの４つの係止部１１を、他方の雨樋用シート材１（図中、下方のシート材）のシート端部１ｃの４つの係止受部１２に嵌め入れることで連結される。
【００４５】
係止部１１の係止受部１２への嵌め入れは、係止部１１の上方からの押圧によって係止受部１２の両係止受片１２ａ、１２ａを弾性的に拡開させ開口１２ｃを拡げて凹溝空間１２ｄへ押し入れることによって実現できる。そして、図４（ａ）に示すように、両係止受片１２ａ、１２ａが弾性復帰し、係止受部１２の爪片１２ｂ、１２ｂが係止部１１の爪片係止間隙１１ｂ、１１ｂに挿着されて、係止部１１と係止受部１２とが相互に係止すると、その後は両方の爪片１２ｂ、１２ｂが作用して係止部１１の抜けを制止する。
【００４６】
このように、雨樋用シート材１の長さ方向Ａに、他の雨樋用シート材１を連結してシート材を延設することが可能であるため、連結されたシート材によって大型樋を形成できるし、１枚では雨樋を形成できないような端切れシート材をつなぎ合わせて１つの雨樋を形成することもできる。
【００４７】
また、図４（ｂ）は、雨樋用シート材１を加工してなる軒樋の概略縦断面図であり、雨樋用シート材１の連結態様の他例を示している。なお、雨樋用シート材１は、専用材料、汎用材料のいずれであってもよい。本図においては、棒状体の図示を省略しているが、本例では、シート基材の片面を係止面２１に、他の片面を被係止面２２に形成した雨樋用シート材１を使用して、係止面２１を雨樋３０の外面３４に、被係止面２２を内面３３に割り当てるように形成されている。
【００４８】
この雨樋用シート材１の連結は、複数のシート材を連結したものではなく、一枚の雨樋用シート材１のシート端部１ｃを折り曲げて、そのシート端部１ｃに連なる他の部位に連結（重合接合）させたもので、重合させた部位が軒樋３０の前壁部３５を形成している。なお、本図例では、雨樋用シート材１の片面を係止面２１に、他の片面を被係止面２２に形成したシート材を使用しているため、同図に示すように、シート端部１ｃを含む折曲片１Ａが、それに隣接するシート部１Ｂと、さらに隣接するシート部１Ｃとに挟まれるように折り曲げられて、その結果、シート材が３重に接合された前壁部３５が形成されている。
【００４９】
このように、シート材同士を重ね合わせて固着できるので、部分的にあるいは全体的にシート材を２重等に貼り合わせて軒樋３０の板厚を厚くして強度を高めることができる。軒樋３０は一般的に前壁部３５に負荷がかかるため、図４（ｂ）のように、雨樋用シート材１の部分的な重合によって前壁部３５を補強することも容易に行える。
【００５０】
また、この雨樋用シート材１は、専用品であっても汎用品であっても、施工現場で所望の雨樋に曲成加工して使用できるので、工場、倉庫等では加工前の平板状態あるいは巻回状態で保管でき、省スペース化が図れる。特に、汎用材料を使用するようにすれば、形状、寸法の異なる複数種の雨樋あるいは長さ寸法等の異なる複数種のシート材を倉庫等で個別に保管しておく必要がなくなるため、保管スペースの省スペース化が図れるだけではなく、品種の削減も図れるので、複数品種を管理するための在庫管理の手間も格段に軽減できる。
【００５１】
図５は、雨樋用シート材１の他の連結態様を示す説明図であり、図５（ａ）は雨樋の一部を破断させた概略正面図、図５（ｂ）は（ａ）で破断させた部分の拡大図、図５（ｃ）は（ａ）の概略縦断面図である。
【００５２】
この軒樋３０は、雨樋用シート材１を軒樋状に加工してなる軒樋部品３０ａを複数、雨樋の長手方向Ｂに連結してなるものである。つまり、各軒樋部品３０ａを構成する棒状体１０と棒状体１０とが、その長手方向Ｂに連結されており、図５に示すように、雨樋の長手方向Ｂに隣接する軒樋部品３０ａの材料である雨樋用シート材１は、雨樋３０の長手方向Ｂに隣接する端部同士が、係止部１１（係止面２１）と係止受部１２（被係止面２２）との嵌合によって連結されている。
【００５３】
このように、雨樋の長手方向Ｂに雨樋部品３０ａと雨樋部品３０ａとを直接重ね合わせて連結しているため、軒樋と軒樋をつなぎ合わせる部品が不要となる。さらに、このような階段状の連結によって、雨水の流れ勾配が形成できる。また、雨樋用シート材１のつなぎ合わせによって軒樋３０が形成できるので、長手寸法の大きな軒樋も、棒状体１０の長手方向Ｂの寸法が一定の汎用の雨樋用シート材１によって、簡易に形成することができる。すなわち、長手方向Ｂ寸法の大型の軒樋に対応させて、棒状体１０の長手方向Ｂの寸法の大きな雨樋用シート材１を保管しておく必要がないので、大きな保管スペースを確保する必要がない。
【００５４】
図６は、本発明の雨樋用シート材の第２実施形態を示す説明図であり、その雨樋用シート材によって形成された軒樋の縦断面図を示している。
【００５５】
図６に示すように、この雨樋用シート材１は、シート基材２の片面２ａおよび他の片面２ｂのそれぞれには、係止部１１と係止受部１２とが交互に表れるように棒状体１０が配設されている。つまり、この雨樋用シート材１は表裏の区別がない。
【００５６】
このように、表裏の区別がなく、片面２ａ側および他の片面２ｂ側のそれぞれに係止部１１と係止受部１２とが交互に形成されているので、表面（片面２ａ）同士または裏面（他の片面２ｂ）同士の重ね合わせができる。つまり、図６の例のように、雨樋用シート材１を折り返した状態で重合できる。なお、係止部１１と係止受部１２との交互形成は、１つずつを交互に形成したものに限られず、複数を同数ずつ交互に形成したものでもよい。
【００５７】
したがって、雨樋用シート材１によれば、図６に示すように、前壁部３５を雨樋用シート材１の重合により補強する場合、３重に折り曲げて連結させる必要がなく、２重に重合して貼り合わせることができ、雨樋用シート材１の節約ができる。もちろん、３重以上の多重合による補強が必要な場合は、その数に応じて折り曲げ形成すればよい。
【００５８】
以上の２つ実施形態では、雨樋用シート材１により角形の軒樋３０を形成する実施例を示したが、同雨樋用シート材１によって、図７（ａ）の縦断面図に示したような半丸形の軒樋３０も形成できることはいうまでもなく、さらに図７（ｂ）、（ｃ）の横断面図に示したような丸形、角形の竪樋４０も形成できる。
【００５９】
なお、これらの図では、いずれの場合も、棒状体は雨水の流れ方向に沿って設けられており、棒状体により係止部と係止受部を突出させた雨樋用シート材１の両面は、第１実施形態のように係止面２１、被係止面２２で形成されたものでもよいし、第２実施形態のように係止部１１と係止受部１２とを交互に配列させたものでもよい。
【００６０】
雨樋用シート材１を、図７（ｂ）、（ｃ）に示した竪樋４０に用いた場合でも、軒樋３０に適用させた場合と同様に、重合による雨樋の補強、および切断、連結による種々の形状、寸法の雨樋の形成ができることはいうまでもない。また、軒樋３０の図５の例と同様に、竪樋４０の長手方向Ｂへ雨樋用シート材よりなる雨樋部品を連結して竪樋を形成できるので、高さの高い竪樋も汎用の雨樋用シート材１によって形成できる。
【００６１】
以上に示した種々の雨樋用シート材１の例では、断面略半円状の係止部１１と、その係止部１１を嵌合できる断面略半円状の凹溝空間１２ｄを有した係止受部１２とよりなる棒状体１０を示したが（図１等を参照）、図８（ａ）〜（ｄ）に示す形状の棒状体でもよい。
【００６２】
図８（ａ）に示した棒状体１０は、係止部１１が断面略円形状の突起係止体１１ａよりなる一方、係止受部１２がその係止部１１を嵌合できる凹溝空間１２ｄを形成した、１組の係止受片１２ａよりなるものである。図８（ｂ）、（ｃ）のものは、係止部１１が頂部を突出させた断面三角形状であり、係止受部１２は１組の係止受片１２ａよりなり、三角形状の係止部１１を嵌合できる凹溝空間１２ｄを有している。
【００６３】
また、図８（ａ）、（ｂ）は係止部１１が中実構造であり、図８（ｃ）は係止部１１が中空構造である。つまり、図８（ｃ）の棒状体１０は、略同厚の板状体を折り曲げて成形できる。
【００６４】
図８（ａ）〜（ｃ）に示した棒状体１０では、第１、第２実施形態に示した棒状体１０と同様に、係止部１１を受け入れる係止受部１２の開口１２ｃが係止受片１２ａの爪片１２ｂ間に挟まれた上端に配置されている。
【００６５】
一方、図８（ｄ）に示した棒状体１０は、係止受部１２が左右対称の構造となっておらず、爪片１２ｂが開口１２ｃの一方側のみに形成されている。
【００６６】
なお、図８において、上記第１、第２と同様の構成については、同一の符号を付してその説明を省略する。
【符号の説明】
【００６７】
１      雨樋用シート材
２      シート基材
２ａ      片面
２ｂ      他の片面
３      端部止め片
１０      棒状体
１１      係止部
１１ａ      突起係止体
１１ｂ      爪片係止間隙
１２      係止受部
１２ａ      係止受片
１２ｂ      爪片
１２ｃ      開口
１２ｄ      凹溝空間
２１      係止面
２２      被係止面
３０      雨樋（軒樋）
３３      内面
３３ａ      内底面
３４      外面
４０      雨樋（竪樋）